(57)【要約】【課題】上下面材間に供給する原液の逆流を抑制し、均質な発泡を行うことが可能なサンドイッチパネル製造設備を提供する。【解決手段】上下両面に対向配置された面材間に発泡性樹脂芯材が発泡成形されてなる帯状のサンドイッチパネルＰを製造するためのサンドイッチパネル製造設備であって、帯状の下面材１を搬送する下面材搬送機構７と、帯状の上面材を搬送する上面材搬送機構８と、下面材１と上面材２の間に発泡性樹脂芯材の原液を供給するミキシングヘッド１０と、を備え、このミキシングヘッド１０による原液の吐出位置から下流側にわたる所定領域Ａにおいて、下面材１が下流側にいくほど下方向に傾斜した状態になるように下面材搬送機構７が構成されている。【選択図】図２
2008238473.tif 000002
【特許請求の範囲】
【請求項１】
上下両面に対向配置された面材間に発泡性樹脂芯材が発泡成形されてなる帯状のサンドイッチパネルを製造するためのサンドイッチパネル製造設備であって、
帯状の下面材を搬送する下面材搬送機構と、
帯状の上面材を搬送する上面材搬送機構と、
下面材と上面材の間に前記発泡性樹脂芯材の原液を供給する原液供給装置と、を備え、
この原液供給装置による原液の吐出位置から下流側にわたる所定領域において、下面材が下流側にいくほど下方向に傾斜した状態になるように下面材搬送機構が構成されていることを特徴とするサンドイッチパネル製造設備。
【請求項２】
下面材搬送機構は、搬送方向に沿って配置される複数の搬送ロールを備えており、特定の搬送ロールの取り付け高さを他の搬送ロールよりも高くすることで、前記傾斜した状態を構成することを特徴とする請求項１に記載のサンドイッチパネル製造設備。
【請求項３】
下面材搬送機構は、搬送方向に沿って配置される複数の搬送ロールを備えており、特定の搬送ロールのロール径を他の搬送ロールよりも大きくすることで、前記傾斜した状態を構成することを特徴とする請求項１に記載のサンドイッチパネル製造設備。
【発明の詳細な説明】
【技術分野】
【０００１】
本発明は、に上下両面に対向配置された面材間に発泡性樹脂芯材が発泡成形されてなる帯状のサンドイッチパネルを製造するためのサンドイッチパネル製造設備に関するものである。
【背景技術】
【０００２】
帯状のサンドイッチパネルを製造する工程の一例は、下記特許文献１に開示されている。サンドイッチパネルは、例えば、硬質ポリウレタンフォームを可撓性を有する鋼板により形成された上面材と下面材によりサンドイッチした構造を有しており、建築用の断熱パネルなどとして利用されている。このサンドイッチパネルの製造工程においては、上面材を巻き付けたロールと、下面材を巻き付けたロールから、夫々ロールを引き出していき、これら面材間に硬質ポリウレタンフォーム（発泡性樹脂芯材に相当）を発泡させて成形する。かかるサンドイッチパネルは、帯状の形態で連続的に製造されていき、裁断装置により所定サイズのパネルとなるように裁断される。
【０００３】
硬質ポリウレタンフォームを形成するために、搬送される下面材と上面材の間に、硬質ポリウレタンフォームを形成するためのウレタン原液（以下、「原液」という）がミキシングヘッド（原液供給装置に相当）により供給される。より具体的には、搬送される下面材の上にミキシングヘッドのノズルからウレタン原液を吐出させる。ノズルから原液が吐出する方向は、上下の面材が搬送される方向に合わせており、吐出された原液がスムーズに下流側へと送られるようにしている。下流側においては、上面材と下面材の間に原液が充填された状態で、ダブルコンベアに送り込まれる。ダブルコンベアでは、上面材と下面材を挟んだ状態で搬送し、原液を発泡する発泡室を通過させることで原液を発泡させ、上下面材間にポリウレタンフォーム層が形成される。
【０００４】
【特許文献１】特開平１１−２６８１０９号公報
【発明の開示】
【発明が解決しようとする課題】
【０００５】
かかるサンドイッチパネルには厚さの異なるものが種々存在するが、この厚みによって上下面材の搬送速度も適切になるように異ならせている。例えば、厚みが３０〜５０ｍｍ程度であれば、７〜１１ｍ／ｍｉｎの速度で搬送するが、２００〜２５０ｍｍ程度のかなり厚いものになれば、１〜２ｍ／ｍｉｎのかなり遅い速度で搬送される。このように厚みが厚くなると、原液の吐出量も多くなるため、面材の搬送方向に向けて吐出しているとはいえ、吐出した後に逆流する原液も存在する。このような原液の逆流が発生すると、原液の充填状態が均一でなくなり、発泡ムラを生じさせる原因となる。
【０００６】
本発明は上記実情に鑑みてなされたものであり、その課題は、上下面材間に供給する原液の逆流を抑制し、均質な発泡を行うことが可能なサンドイッチパネル製造設備を提供することである。
【課題を解決するための手段】
【０００７】
上記課題を解決するため本発明に係るサンドイッチパネル製造設備は、
上下両面に対向配置された面材間に発泡性樹脂芯材が発泡成形されてなる帯状のサンドイッチパネルを製造するためのサンドイッチパネル製造設備であって、
帯状の下面材を搬送する下面材搬送機構と、
帯状の上面材を搬送する上面材搬送機構と、
下面材と上面材の間に前記発泡性樹脂芯材の原液を供給する原液供給装置と、を備え、
この原液供給装置による原液の吐出位置から下流側にわたる所定領域において、下面材が下流側にいくほど下方向に傾斜した状態になるように下面材搬送機構が構成されていることを特徴とするものである。
【０００８】
かかる構成によるサンドイッチパネル製造設備の作用・効果を説明する。上下の面材は、夫々、上面材搬送機構と下面材搬送機構により搬送される。これらの面材間に、原液供給装置により発泡性樹脂芯材の原液が供給される。この原液の吐出位置から下流側にわたる所定領域において、下面材が下流側に行くほど下方向に傾斜した状態になるように構成されている。従って、吐出された原液には、重力により下方向に向かわせるような力が作用し、逆流しようとするのを抑制することができる。これにより、上下面材間に供給する原液の逆流を抑制し、均質な発泡を行うことが可能なサンドイッチパネル製造設備を提供することができる。
【０００９】
本発明において、下面材搬送機構は、搬送方向に沿って配置される複数の搬送ロールを備えており、特定の搬送ロールの取り付け高さを他の搬送ロールよりも高くすることで、前記傾斜した状態を構成することが好ましい。
【００１０】
複数の搬送ロールを搬送方向に並べることで、下面材搬送機構を構成することができるが、同じ搬送ロールを同じ高さに設定すると、下面材は平行な状態で搬送される。そこで、特定の搬送ロールの取り付け高さを他の搬送ロールよりも高くすることで、傾斜状態を設定することができる。取り付け高さを変えるのみであり、大きなコストをかけることなく傾斜状態を実現することができる。なお、特定の搬送ロールは１つに限定されず複数であってもよい。
【００１１】
本発明において、下面材搬送機構は、搬送方向に沿って配置される複数の搬送ロールを備えており、特定の搬送ロールのロール径を他の搬送ロールよりも大きくすることで、前記傾斜した状態を構成することが好ましい。
【００１２】
複数の搬送ロールを搬送方向に並べることで、下面材搬送機構を構成することができるが、同じ搬送ロールを同じ高さに設定すると、下面材は平行な状態で搬送される。そこで、特定の搬送ロールのロール径を他の搬送ロールよりも大きくすることで、傾斜状態を設定することができる。ロール径を変えるのみであり、大きなコストをかけることなく傾斜状態を実現することができる。なお、特定の搬送ロールは１つに限定されず複数であってもよい。
【発明を実施するための最良の形態】
【００１３】
本発明に係るサンドイッチパネル製造設備の好適な実施形態を図面を用いて説明する。図１は、サンドイッチパネル製造設備を模式的に示す側面図である。かかるサンドイッチパネルは、例えば、建築用の壁材として用いられる。
【００１４】
図１において、帯状の下面材１は下側に設置された鋼板ロール３から順次引き出されていき、帯状の上面材２は、上側に設置された鋼板ロール４から順次引き出されて搬送される。また、下面材１及び上面材２の幅方向両側を折り曲げて桶状にするためのフォーマー５，６が必要に応じて設けられる。
【００１５】
鋼板ロール３から引き出された下面材１は、下面材搬送機構７により搬送されると共に、鋼板ロール４から引き出された上面材２は、上面材搬送機構８により搬送される。これら搬送機構７，８は、ロールやコンベアなどにより構成することができる。
【００１６】
予熱室９は、搬送される上下面材１，２を予熱するものであり、この予熱室９の下流側にミキシングヘッド１０（原液供給装置に相当）が配置される。ミキシングヘッド１０は、ポリイソシアネート成分と、ポリオール化合物、発泡剤などを含むポリオール組成物とを混合した発泡原液組成物が、ノズルから下面材１の面上に幅方向に均一な原液厚さになるように吐出される。
【００１７】
鋼板ロール３，４から引き出された下面材１と上面材２の距離は、下流側に向かうほど徐々に狭くなるように設定されている。ミキシングヘッド１０は、ちょうど下面材１と上面材２の間に配置されている。ミキシングヘッド１０の更に下流側には、発泡室１１が設けられており、所定の温度に設定されている。この発泡室１１において、上下一対のコンベア１２（ダブルコンベア）により上下面材１，２を搬送しながら、ウレタン原液を発泡・硬化させて上下面材間にウレタンフォームを生成し、切断装置１３において帯状のサンドイッチパネルを所定の寸法に裁断することで、製品としてのサンドイッチパネルＰが製造される。
【００１８】
次に、図１におけるサンドイッチパネル製造設備におけるミキシングヘッド１０の周辺の構造に関して説明する。図２は、ミキシングヘッド１０の周辺の構成を示す拡大模式図である。ミキシングヘッド１０のノズル１０ａからウレタン原液が吐出されている様子が描かれている。上下面材１，２は、図の左側から右側へと搬送されており、ウレタン原液が吐出される方向もこれに合わせて下流側へ向かうように原液を吐出している。
【００１９】
下面材１を搬送するための下面材搬送機構７は、複数の搬送ロール７ａ〜７ｄが搬送方向に沿って並べて配置されている。これらの搬送ロール７ａ〜７ｄは、全て同じロールが使用されるが、特定の搬送ロール７ｂのみが他の搬送ロール７ａ，７ｃ，７ｄに比べて、若干取り付け高さが高くなるように組み立てられている。従って、特定の搬送ロール７ｂとそのすぐ下流側にある搬送ロール７ｃの間の所定領域Ａは、下面材１が下流側に行くほど下方向に傾斜した状態で搬送される。すなわち、一番上流側にある搬送ロール７ａを通過すると、若干下面材１は上方に持ち上げられるように搬送され、次の特定の搬送ロール７ｂの位置を通過すると、今度は下方向に傾斜して搬送されることになる。この持ち上げ量については、１０〜１５ｍｍ程度に設定される。
【００２０】
かかる構成により、ミキシングヘッド１０から吐出した原液は、スムーズに下方向に向かい逆流することが抑制される。原液の逆流が生じると、原液の充填状態が悪化し、発泡ムラが生じやすくなるが、上記のような構成により逆流を抑制することで、均一な発泡を実現することができる。特に、厚みの厚いサンドイッチパネルを製造するときには、原液の吐出量も多くなり、逆流が生じやすくなるが、上記構成を採用すれば、厚みが厚いサンドイッチパネルを製造する場合でも、均一な充填状態を実現することができる。
【００２１】
＜別実施形態＞
図３は、別実施形態に係る構成を示す図である。図２においては、特定の搬送ロール７ｂの取り付け高さを変える構成であったがが、図３では、特定の搬送ロール７ｂのロール径を他の搬送ロール７ａ，７ｃ，７ｄに比べて大きくしている。これにより、図２と同様に所定領域Ａに傾斜状態を形成している。
【００２２】
所定領域Ａの長さや、持ち上げ高さについては、適宜決めることができる。傾斜した所定領域Ａの開始点についても、図２に示す位置に限定されるものではなく、例えば、もう少し上端側に設定されていてもよい。
【図面の簡単な説明】
【００２３】
【図１】サンドイッチパネル製造設備を模式的に示す側面図
【図２】ミキシングヘッド周辺の構成を示す拡大模式図
【図３】別実施形態にかかる構成を示す拡大模式図
【符号の説明】
【００２４】
１        下面材
２        上面材
３        鋼板ロール
４        鋼板ロール
７        下面材搬送機構
７ａ，７ｂ，７ｃ，７ｄ      搬送ロール
８        上面材搬送機構
１０      ミキシングヘッド
１０ａ    ノズル
Ａ        所定領域
Ｐ        サンドイッチパネル
【図１】
2008238473.tif 000003
【図２】
2008238473.tif 000004
【図３】
2008238473.tif 000005